(57)【要約】【解決手段】通信サービス（１４、・・・）にアクセスするための電気通信ネットワークに接続された第１端末（１０）のユーザのＩＤの処理システムおよび処理方法であり、該システムは、第１端末（１０）のユーザのＩＤパラメータ、および通信サービス（１４、・・・）に対応するパラメータを受信するように設定された、ＩＤ処理サーバ（１１）と、ＩＤ処理サーバ（１１）に組み込まれた規則管理モジュール（２０）であって、規則管理モジュール（２０）にリンクされたデータベース（１２）内に記憶された規則を検索し、処理するように設定された規則管理モジュール（２０）と、ＩＤ処理サーバ（１１）から来る、前記規則に応じて処理された前記パラメータを受信し、前記第１端末（１０）による前記通信サービス（１４、・・・）へのアクセス後、前記通信サービス（１４、・・・）に対応する前記パラメータおよび前記処理されたＩＤパラメータを含む、通話レポートを生成するように設定された、サービスプラットフォーム（１３、１３´）を備え、端末のユーザのＩＤの処理後に、通話レポートにＩＤを書き込む。【選択図】図１
2008507172.tif 000002
【特許請求の範囲】
【請求項１】
少なくとも一つの通信サービス（１４、１４´、１４´´、１４´´´）にアクセスするための電気通信ネットワークに接続された第１端末（１０）の少なくとも一人のユーザのＩＤの処理方法において、前記方法が、
−少なくとも一つのＩＤ処理サーバ（１１）によって、少なくとも、一つの前記第１端末（１０）のユーザのＩＤパラメータ、および前記通信サービス（１４、１４´、１４´´、１４´´´）に対応するサービスパラメータを受信し、前記ＩＤ処理サーバ（１１）に組み込まれた少なくとも一つの規則管理モジュール（２０）によって、前記ＩＤパラメータをもとに、前記規則管理モジュール（２０）にリンクされた少なくとも一つのデータベース（１２）内に記憶された少なくとも一つの規則を検索し、
−前記規則を前記規則管理モジュール（２０）によって処理し、
−前記ＩＤ処理サーバ（１１）によって、少なくとも一つのサービスプラットフォーム（１３、１３´）に向けて、少なくとも、前記規則に応じて処理された前記ＩＤパラメータを転送し、前記第１端末（１０）による通信サービス（１４、１４´、１４´´、１４´´´）の消費後に、前記サービスプラットフォーム（１３、１３´）によって、少なくとも前記通信サービス（１４、１４´、１４´´、１４´´´）に対応する前記パラメータ、および前記処理されたＩＤパラメータを含む、少なくとも一つの通話レポートを生成する、
ことからなる段階を備えることを特徴とする方法。
【請求項２】
前記ＩＤパラメータおよびサービスパラメータは、前記第１端末（１０）または前記サービスプラットフォーム（１３、１３´）から別々にまたは組み合わされて来て、前記ＩＤ処理サーバ（１１）によって受信されることを特徴とする、請求項１に記載の処理方法。
【請求項３】
前記第１端末（１０）の前記通信サービス（１４、１４´、１４´´、１４´´´）へのアクセスの前に、前記第１端末（１０）または電気通信ネットワークの事業者は、別々にまたは組み合わせて、少なくとも一つの規則を前記第１端末（１０）のユーザのＩＤを管理するための前記データベース（１２）内に記憶させることを特徴とする、請求項１または２に記載の処理方法。
【請求項４】
前記第１端末（１０）は、少なくとも、前記第１端末（１０）のユーザのＩＤパラメータを受信するように、前記ＩＤ処理サーバ（１１）を制御することを特徴とする、請求項１〜３のいずれか一つに記載の処理方法。
【請求項５】
前記ＩＤ処理サーバ（１１）は、少なくとも、前記第１端末（１０）のユーザの前記ＩＤパラメータを受信するように自動的に制御されることを特徴とする、請求項１〜３のいずれか一つに記載の処理方法。
【請求項６】
前記第１端末（１０）は、前記第１端末（１０）の前記通信サービス（１４、１４´、１４´´、１４´´´）へのアクセス中に適用できる少なくとも一つの規則を、前記端末（１０）のユーザのＩＤを管理するための前記データベース（１２）内に記憶することを特徴とする、請求項１〜５のいずれか一つに記載の処理方法。
【請求項７】
前記規則の処理時、前記規則管理モジュール（２０）は、前記ＩＤパラメータを確認するために、少なくとも一つの第２端末（１０´）との接続を確立することを特徴とする、請求項１〜６のいずれか一つに記載の処理方法。
【請求項８】
前記処理されたＩＤパラメータは、前記第１端末（１０）または前記通信サービス（１４、１４´、１４´´、１４´´´）とは別個のユーザのＩＤに対応することを特徴とする、請求項１〜７のいずれか一つに記載の処理方法。
【請求項９】
前記サービスプラットフォーム（１３、１３´）は、前記第１端末（１０）の前記通信サービス（１４、１４´、１４´´、１４´´´）へのアクセスを許可するために、少なくとも前記処理されたＩＤパラメータによって転送されたＩＤに対応する加入者の少なくとも一つのアカウント（１５）の残高を確認することを特徴とする、請求項１〜８のいずれか一つに記載の処理方法。
【請求項１０】
少なくとも一つの通信サービス（１４、１４´、１４´´、１４´´´）にアクセスするための電気通信ネットワークに接続された第１端末（１０）の少なくとも一人のユーザのＩＤ処理システムにおいて、前記システムが、
−前記第１端末（１０）から来る、少なくとも一つの前記第１端末（１０）のユーザのＩＤパラメータ、および前記通信サービス（１４、１４´、１４´´、１４´´´）に対応するパラメータを受信するように設定された少なくとも一つのＩＤ処理サーバ（１１）、
−前記ＩＤ処理サーバ（１１）に組み込まれた少なくとも一つの規則管理モジュール（２０）であって、前記規則管理モジュール（２０）にリンクされた少なくとも一つのデータベース（１２）内に記憶された少なくとも一つの規則を検索し、処理するように設定された規則管理モジュール（２０）、および、
−前記ＩＤ処理サーバ（１１）から来る、少なくとも前記規則に応じて処理された前記パラメータを受信し、前記第１端末（１０）による前記通信サービス（１４、１４´、１４´´、１４´´´）の消費後、少なくとも前記通信サービス（１４、１４´、１４´´、１４´´´）に対応する前記パラメータ、および処理された前記ＩＤパラメータを含む、少なくとも一つの通話レポートを生成するように設定された、少なくとも一つのサービスプラットフォーム（１３、１３´）を備えることを特徴とする、処理システム。
【請求項１１】
前記第一および第２端末（１０、１０´）は、固定式または携帯式に関係なく、前記固定または携帯電気通信ネットワークに接続されていることを特徴とする、請求項１０に記載のシステム。
【請求項１２】
請求項１０または１１によるシステム内で実現されるのに適したＩＤ処理サーバ（１１）であって、前記サーバ（１１）は少なくとも一つの前記第１端末（１０）のユーザのＩＤパラメータ、および通信サービス（１４、１４´、１４´´、１４´´´）に対応するパラメータを受信し、転送するように設定されており、前記ＩＤ処理サーバ（１１）に組み込まれた少なくとも一つの規則管理モジュール（２０）にリンクされた少なくとも一つのデータベース（１２）内に記憶された少なくとも一つの規則を検索し、処理するように設定されており、前記ＩＤ処理サーバ（１１）は、前記規則管理モジュール（２０）と前記第一および第２端末（１０、１０´）との間の転送用の少なくとも一つの第１通信インターフェース（２１）と、前記規則管理モジュール（２０）と少なくとも一つのサービスプラットフォーム（１３、１３´）との間の転送用の少なくとも一つの第２通信インターフェース（２２）とを備えることを特徴とする、ＩＤ処理サーバ。
【請求項１３】
請求項１０または１１によるシステム内で実現されるのに適した規則管理モジュール（２０）であって、前記モジュール（２０）は、少なくとも一つのデータベース（１２）内に記憶された少なくとも一つの規則を検索し、処理するために、前記ＩＤ処理サーバ（１１）に組み込まれることを特徴とする、規則管理モジュール。
【請求項１４】
前記モジュール（２０）は、少なくとも一つの第２端末（１０´）との接続を確立し、前記規則の処理時に前記ＩＤパラメータを確認することを特徴とする、請求項１３に記載のモジュール。
【請求項１５】
請求項１０または１１によるシステム内で実現されるのに適したサービスプラットフォーム（１３、１３´）であって、前記プラットフォーム（１３、１３´）は、前記ＩＤ処理サーバ（１１）から来る、少なくとも前記規則に応じて処理された前記パラメータを受信し、前記処理されたＩＤパラメータによって転送されたＩＤに対応する加入者の少なくとも一つのアカウント（１５）の残高を確認することで、前記第１端末（１０）の前記通信サービス（１４、１４´、１４´´、１４´´´）へのアクセスを許可し、前記第１端末（１０）による前記通信サービス（１４、１４´、１４´´、１４´´´）へのアクセス後、少なくとも前記通信サービス（１４、１４´、１４´´、１４´´´）に対応する前記パラメータ、および前記処理されたＩＤパラメータを含む、少なくとも一つの通話レポートを生成するように設定されていることを特徴とする、サービスプラットフォーム。
【発明の詳細な説明】
【技術分野】
【０００１】
本発明は、少なくとも一つの通信サービスにアクセスするための電気通信ネットワークに接続された、少なくとも一つの端末のユーザのＩＤ処理方法および処理システムに関するものである。
【０００２】
本発明は、特に、端末のユーザのＩＤ処理後の、少なくとも一つの通話レポートへのＩＤパラメータの書き込みに適用されるものである。
【背景技術】
【０００３】
通信サービスはどのような種類のものでもよく、電話通信の分単位の消費、ショートメッセージの送付すなわちＳＭＳ（ショート・メッセージ・サービス）、またはマルチメディアメッセージの送付すなわちＭＭＳ（マルチメディア・メッセージング・サービス）、または他のあらゆる通信サービスなどである。
【０００４】
現在、通信サービスへのアクセス時、前記通信サービスへのアクセスを許可するためには、一般的に、電気通信ネットワークによって認識されるユーザ識別子による識別で十分である。他のいくつかの通信サービスにアクセスするためには、安全性もしくは機密保持の理由から、サービスの性質に応じてユーザは自分のＩＤでログオンおよび／または自己認証しなければならない。いずれにしても、サービスの提供者によって、前記サービスの消費の請求書を作成のために、少なくとも「サービスの識別」パラメータおよび「ユーザのＩＤ」パラメータを含む通話レポートが送信される。
【０００５】
通話レポートは、サービスを消費するユーザのＩＤに対応する情報、例えば、携帯端末ではＭＳＩＳＤＮ識別番号（Ｍｏｂｉｌｅ  Ｓｕｂｓｃｒｉｂｅｒ  ＩＳＤＮ、すなわちＩＳＤＮネットワーク用モバイル加入者識別子）、もしくは電子メール（すなわちｅ−ｍａｉｌ）アドレス、またはサービスに加入しているユーザのあらゆる識別子などを含む。一般的に、通話レポートに含まれるユーザのＩＤは、電気通信ネットワークによって認識される電話回線の名義人のＩＤである。通話レポートは、また、ユーザによって消費されたサービスの識別を含む。ひとたび通話レポートが請求書作成サービスに転送されると、ユーザの識別子に一致する加入者のアカウントに、サービス消費に結びつけられた金額を割り当てることができる。
【０００６】
ユーザのＩＤがその識別子をもとにネットワークによって認識されると、通信サービス消費の請求書作成は、識別子に対応するユーザに向けて実施される。慣用的には、前記通話レポートの受信時に、現存の請求書作成サービスは、事前定義されたユーザに対して前記通信サービス消費を請求することができる。
【発明の開示】
【発明が解決しようとする課題】
【０００７】
ユーザが、ログオンおよび／または自己認証した時、認識されている「ユーザのＩＤ」に対応しない加入者のアカウントから引き落とされるためには、このユーザが自分とは別のアカウントのシークレットコード（通常「ログイン」と呼ぶ）とパスワードを使用してログオンおよび／または自己認証することが必要である。これは、アカウントの実際の名義人が、サービスの実質的なユーザに自発的にそのログインとパスワードを伝えたということを意味する。これは、明らかに機密保持の問題を提示している。
【０００８】
さらに、サービスのユーザが別のアカウントのログインとパスワードでログオンおよび／または自己認証すると、前記ユーザは自身のいつもの固有プロファイル、例えば、以前の使用履歴、自分の好みに合ったサービスのパーソナライズ化などの恩恵に浴することができない。
【０００９】
また、本発明の対象によって解決すべき技術的な問題は、通話レポートに含まれるＩＤと電気通信ネットワークによって認識されるＩＤを切り離すことによって、現存するシステムの不都合を解消することのできる、通信サービスにアクセスするための電気通信ネットワークに接続された少なくとも一つの端末のユーザのＩＤの処理方法および処理システムを提案することである。
【課題を解決するための手段】
【００１０】
提起された技術的な問題の解決法は、本発明によると、前記方法が、
−少なくとも一つのＩＤ処理サーバによって、少なくとも一つの前記第１端末のユーザＩＤパラメータと、前記通信サービスに対応するパラメータを受信し、
−前記ＩＤパラメータをもとに、前記ＩＤ処理サーバに組み込まれた少なくとも一つの規則管理モジュールによって、前記規則管理モジュールにリンクされた少なくとも一つのデータベース内に記憶された少なくとも一つの規則を検索し、
−前記規則を前記規則管理モジュールによって処理し、
−前記ＩＤ処理サーバによって、少なくとも一つのサービスプラットフォームに向けて、少なくとも、前記規則に応じて処理された前記ＩＤパラメータを転送し、
−前記第１端末による前記通信サービスの消費後に、前記サービスプラットフォームによって、少なくとも前記通信サービスに対応する前記パラメータ、および前記処理されたＩＤパラメータを含む、少なくとも一つの通話レポートを生成する、
ことからなる段階を備えることからなる。
【００１１】
同様に、本発明によると、通信サービスにアクセスするための電気通信ネットワークに接続された、少なくとも一つの端末のユーザのＩＤ処理システムは、前記システムが、
−少なくとも一つの前記第１端末のユーザのＩＤパラメータと、前記通信サービスに対応するパラメータを受信するように設定された、少なくとも一つのＩＤ処理サーバ、
−前記ＩＤ処理サーバに組み込まれた少なくとも一つの規則管理モジュールであって、前記規則管理モジュールにリンクされた少なくとも一つのデータベース内に記憶された少なくとも一つの規則を検索し、処理するように設定された規則管理モジュール、および、
−前記ＩＤ処理サーバから来る、少なくとも前記規則に応じて処理された前記パラメータを受信し、前記第１端末による前記通信サービスの消費後、少なくとも前記通信サービスに対応する前記パラメータおよび前記処理された前記ＩＤパラメータを含む、少なくとも一つの通話レポートを生成するように設定された、少なくとも一つのサービスプラットフォーム、
を備えるという点において注目に値するものである。
【００１２】
本発明による、端末の少なくとも一人のユーザのＩＤ処理システムは、少なくとも一つのＩＤ処理サーバと、少なくとも一つのサービスプラットフォームを備える。また、一つまたは複数のデータベースが前記ＩＤ処理サーバにリンクされている。
【００１３】
前記の処理システムおよび処理方法によって、電気通信ネットワークに接続された第１端末のユーザのＩＤを管理することができる。第１端末のユーザは、通信サービスを利用することを望む。前記サービスへのアクセス時、ＩＤ処理サーバは前記第１端末のユーザの識別子を受信することで、前記通信サービスのユーザとして認識する。
【００１４】
本発明によるシステムおよび方法で実現されるとおりの、得られた技術結果は、電気通信ネットワークによってＩＤ処理サーバに向けて転送されたＩＤパラメータに対応するユーザのＩＤを処理することを目的とする。前記ＩＤパラメータに関係づけられた少なくとも一つの規則に準じて制御および処理が行われた後、ＩＤ処理サーバによって処理されたユーザのＩＤは前記通信サービスの通話レポートに書き込まれる。
【００１５】
本発明によるシステムおよび方法によって、通信サービスの通話レポートに含めるための、ＩＤ処理サーバによる処理後に転送されたユーザのＩＤが、
電気通信ネットワークによって認識されたＩＤまたはユーザによって手動入力されたＩＤと異なったものとなって、前記通信サービスへのアクセス時に受信されることを可能にする。通話レポートの作成過程中に、前記ユーザのＩＤ処理システムおよび処理方法によって、前記ＩＤパラメータの変更および選択が可能となる。
【００１６】
前記ＩＤパラメータは、例えば、電子メールアドレス、もしくは携帯端末の識別子（ＭＳＩＳＤＮ識別子など）、またはユーザの他のあらゆる識別子でありうる。
【００１７】
このように、ＩＤ管理規則をもとにして、同一のユーザを複数のＩＤで管理することができる。より正確には、ユーザの同一の識別子に複数の加入者の識別子を結びつけることができる。サービスのユーザのＩＤ管理は動的であり、前記の規則に応じて、特に、消費したサービス、コンテキスト、時間、クレジットなどに応じて変化する。サービスを利用するために、前記規則を事前にまたは使用中に記憶させることができる。
【００１８】
実際、ユーザは、一つまたは複数のサービスへのアクセスの観点から、複数個の相異なるＩＤを所有することができる。例えば、ユーザは、「私的ユーザ」プロファイルに対応する第１ＩＤ、および「職業的ユーザ」プロファイルに対応する第２ＩＤを所有する。ユーザの好み、および可能な機能またはオプションをこれらのＩＤの各々で異なるようにすることができ、それは例えば相異なる料金設定などである。
【００１９】
そのとき、サービスの通話レポートがサービスプラットフォームによって送信され、前記通話レポートに書き込まれたＩＤは前記サービスのユーザのＩＤとは切り離されている可能性がある。一般的に、通話レポートは、サービスの考えられる使用の範囲内のあらゆる適切なＩＤ（グループのＩＤ、私的なＩＤ、家長のＩＤ、職業的なＩＤなど）に関連づけられることができる。
【００２０】
本発明によると、前記のＩＤパラメータおよびサービスパラメータは、前記第１端末または前記サービスプラットフォームから別々に、または組み合わされて来て、ＩＤ処理サーバによって受信される。
【００２１】
ＩＤ処理サーバは、少なくとも一つの、前記第１端末のユーザのＩＤパラメータと、前記通信サービスに対応するパラメータを受信する。
【００２２】
前記ＩＤパラメータおよびサービスパラメータは、例えばネットワークによる認識または第１端末のユーザによる識別子の手動入力による認識に準じて前記第１端末、もしくはサービスプラットフォーム１３、１３´から来ることができる。そのとき、第１端末のユーザは、ＩＤ処理サーバに向けて転送されたＩＤパラメータをもとに認識される。
【００２３】
本発明によると、前記第１端末の前記通信サービスへのアクセス前に、前記第１端末または電気通信ネットワークの事業者は、別々に、または組み合わせて、少なくとも一つの規則を、前記第１端末のユーザのＩＤを管理するための前記データベース内に記憶する。
【００２４】
第１端末は、あらかじめ、通信サービスへのあらゆるアクセスの前に、ユーザのＩＤの管理規則を記憶することによって、事前に定義されたやり方で自身のＩＤを管理することができる。例えば、ある規則では、ユーザＡの識別子でサービスＸを利用するためには、転送すべきＩＤはユーザＢの識別子であり、すなわち（サービスＸ、識別子Ａ）＝ＩＤ  Ｂのように定義することができる。しかしながら、規則の事前の記憶はシステムの作動に必要不可欠というわけではない。
【００２５】
ユーザによって記憶された（またはされていない）規則とは別個に、電気通信ネットワークの事業者はまた、端末のユーザのＩＤ管理の初期設定規則を記憶することによって、通話レポートに書き込まれたＩＤ、従って前記ユーザがアクセスする通信サービスの請求書の作成を最もよく管理することができる。
【００２６】
本発明によると、前記第１端末は、少なくとも、前記第１端末のユーザの前記ＩＤパラメータを受信するように前記ＩＤ処理サーバを制御する。
【００２７】
本発明によると、前記ＩＤ処理サーバは、少なくとも前記第１端末のユーザの前記ＩＤパラメータを受信するように自動的に制御される。
【００２８】
前記システムは、ユーザまたは電気通信ネットワークの事業者によって直接設定することができる。その設定によると、ＩＤ処理サーバは、少なくとも第１端末のユーザのＩＤパラメータを受信するように、前記第１端末によってのみ制御されることができる。事業者またはユーザによって実行されるパラメータ設定によると、前記ＩＤ処理サーバは、また、通信サービスへのアクセス時に少なくとも第１端末のユーザの前記ＩＤパラメータを受信するように、自動的および体系的に制御されることができる。
【００２９】
本発明によると、前記第１端末は、前記第１端末の前記通信サービスへのアクセス中に適用できる少なくとも一つの規則を、前記端末のユーザのＩＤを管理するための前記データベース内に記憶する。
【００３０】
規則を事前に記憶することは任意であり、通信サービスの使用時に第１端末によって規則を記憶することができる。第１端末が通信サービスにアクセスする間、該第１端末は、事前に規則を記憶していない場合、もしくは既に記憶された規則とは特殊で異なる管理を行うために、または現存する規則を変更するために、前記端末のユーザのＩＤを管理するための前記データベース内に規則を記憶することができる。従って、そのとき前記規則は、前記第１端末の通信サービスへのアクセスの間、進行中のユーザのＩＤ管理に適用することができる。
【００３１】
本発明によると、前記規則の処理時、前記規則管理モジュールは、少なくとも一つの第２端末との接続を確立して、前記ＩＤパラメータを確認する。
【００３２】
必要に応じて、通信サービスのユーザのＩＤの処理時に、許可を要求するために、前記規則管理モジュールは第２端末にコンタクトすることができる。実際、ある規則は、ユーザ（前記第１端末）の定義された識別子の受信時に、そのＩＤを電気通信ネットワークによって認識されたＩＤ、またはユーザによって手動入力されたＩＤの代わりに転送するためには、同様に定義された別のユーザ（第２端末）に対して許可を要求しなければならないということを含むことができる。それは、例えば、子供があるサービスにアクセスするために、両親の一方のＩＤの転送許可が要求される場合である。それはまた、実際のユーザがＰＣＶモード、すなわち、“ａ  ＰｅｒＣｅＶｏｉｒ（認知）”モードでの消費を実行することを望むサービスの場合であり、関係する第三者の了承を得た後に、識別された前記第三者に宛てて通信サービスの請求書が作成される。
【００３３】
本発明によると、前記処理されたＩＤパラメータは、前記第１端末または前記通信サービスとは別個のユーザのＩＤに対応する。
【００３４】
通信サービスの消費後に、通話レポートに処理されたＩＤパラメータを書き込むためのＩＤ処理によって、消費されたサービスの請求書作成のためにユーザのＩＤを定義することができる。ユーザのＩＤは、前記第１端末または前記通信サービスとは全く別個でありうる。従って、このシステムおよびこの方法によって、ＰＣＶモードでの請求書作成を一般化、すなわち一般化された“ａ  ＰｅｒＣｅＶｏｉｒ”モードが可能となり、また、第１端末のユーザによって事前に定義された、または手動入力された、どんな加入者にも対応するＩＤパラメータを書き込むことができる。
【００３５】
本発明によると、前記サービスプラットフォームは、前記第１端末の前記通信サービスへのアクセスを許可するために、少なくとも前記処理されたＩＤパラメータによって転送されたＩＤに対応する加入者のアカウントの残高を確認する。
【００３６】
必要ならば、前記処理されたＩＤパラメータの受信時に、サービスプラットフォームは、第１端末の前記通信サービスへのアクセスを許可するために、前記処理されたＩＤパラメータによって転送されたＩＤに対応する加入者の少なくとも一つのアカウントの残高を確認する。確認が正の場合、特に、前記加入者のアカウントの残高が十分に入金されていると、そのとき通信サービスを利用することができる。
【００３７】
支払いが後払いである通信サービスへのアクセスの場合は、その後払いの支払いは加入者のいかなるアカウントの外で行われるので、加入者のアカウントの残高の確認は実施されない。
【００３８】
非制限的な例として示された添付図面を参照して行う下記の説明から、本発明が何から成り、およびどのように実施されるかがよく理解されるであろう。
【発明を実施するための最良の形態】
【００３９】
図１は、本発明による端末のユーザのＩＤ処理システムの一般的なアーキテクチャを図示している。
【００４０】
図２は、本発明による端末のユーザのＩＤ処理方法の段階を図示したものである。
【００４１】
従って、本発明による、端末の少なくとも一人のユーザのＩＤ処理システムは、少なくとも一つのＩＤ処理サーバ１１、および少なくとも一つのサービスプラットフォーム１３、１３´を備える。さらには、前記ＩＤ処理サーバ１１には、また、一つまたは複数のデータベース１２がリンクされている。
【００４２】
図１に図示した前記処理システムによって、固定式または携帯式に関係なく、電気通信ネットワークに接続された第１端末１０のユーザのＩＤを管理することができる。前記端末が前記電気通信ネットワークに接続されているのが固定式であれ携帯式であれ、前記第１端末１０のユーザのＩＤの管理は同様である。第１端末１０はどのような種類のものでもよく、例えば、携帯電話、パーソナルコンピュータすなわちＰＣ（Ｐｅｒｓｏｎａｌ  Ｃｏｍｐｕｔｅｒ）、または全技術世代の固定電話装置などであり、前記端末のユーザの識別子を転送するように設定されている。第１端末１０は、図１および図２では“Ａ”で示されている。
【００４３】
前記第１端末１０のユーザは、通信サービス１４、１４´、１４´´、１４´´´を使用すること、例えば、電話通信で分単位を消費すること、またはショートメッセージすなわちＳＭＳ（ショート・メッセージ・サービス）を送ること、または他のあらゆる通信サービス１４、１４´、１４´´、１４´´´を望んでいる。前記通信サービス１４、１４´、１４´´、１４´´´は、第１端末１０と同一の電気通信ネットワーク内または別の電気通信ネットワーク内、例えば、固定電話または携帯電話ネットワーク内など、またはインターネットなどの少なくとも一つの通信サービスにアクセスすることのできるあらゆる通信ネットワーク内に位置することができる。
【００４４】
前記サービスへのアクセス時、第１端末１０は、前記通信サービス１４、１４´、１４´´、１４´´´のユーザとして認識されるために、ユーザの識別子を転送する。例えば、第１端末１０として携帯電話の場合、あらゆる通信サービスへのアクセスのために、識別子はユーザのＭＳＩＳＤＮ（Ｍｏｂｉｌｅ  Ｓｕｂｓｃｒｉｂｅｒ  ＩＳＤＮ、すなわちＩＳＤＮネットワークのモバイル加入者識別子）に対応することができ、または、パーソナルコンピュータ（すなわちＰＣ）では、識別子はユーザの電子メールアドレスに対応することができる。
【００４５】
前記通信サービスの消費後、サービスの提供者は、ユーザによって消費されたサービスの請求書作成を可能にする、少なくとも一つの通話レポートを送信する。本発明による前記ユーザＩＤ処理システムによって、通話レポートへのＩＤの書き込みが可能となるが、該ＩＤは、前記サービスの実際のユーザのＩＤのみ、また体系的に対応しているわけではない。通話レポートの作成過程中に、前記ユーザＩＤ処理システムによって、前記ＩＤパラメータの変更および選択が可能となる。
【００４６】
前記ＩＤ処理サーバ１１は、前記第１端末１０のユーザの少なくとも一つのＩＤパラメータを受信し、分析する機能を有する。ＩＤ処理サーバ１１は、第１端末１０と同一の電気通信ネットワーク内または別の電気通信ネットワーク内、例えば、固定電話または携帯電話ネットワーク内など、またはインターネットまたはプライベート通信ネットワークなどのあらゆる通信ネットワーク内に配置することができる。
【００４７】
ＩＤ処理サーバ１１は、前記ＩＤ処理サーバ１１に組み込まれた少なくとも一つの規則管理モジュール２０と、少なくとも一つの通信サービス１４、１４´、１４´´、１４´´´を消費する前記第１端末１０との間の情報交換を転送するための少なくとも一つの第１通信インターフェース２１を備える。
【００４８】
また、前記第１通信インターフェース２１によって、規則管理モジュール２０と、ユーザのＩＤの処理時に前記モジュール２０がコンタクトした少なくとも一つの第２端末１０´との間の情報交換の転送が可能となる。ＩＤの処理時、規則管理モジュール２０は、前記ＩＤパラメータを確認するために前記第２端末１０´との接続を確立することができる。前記第２端末１０´は、また、どのような種類のものでもよく、例えば、携帯電話、パーソナルコンピュータすなわちＰＣ（Ｐｅｒｓｏｎａｌ  Ｃｏｍｐｕｔｅｒ）、または全技術世代の固定電話機器などであり、図１および２では“Ｂ”で示されている。
【００４９】
ＩＤ処理サーバ１１は、また、前記規則管理モジュール２０と、ユーザによって消費される前記通信サービス１４、１４´、１４´´、１４´´´を管理する少なくとも一つのサービスプラットフォーム１３、１３´との間の情報交換を転送するための、少なくとも一つの第２通信インターフェース２２を備える。
【００５０】
ＩＤ処理サーバ１１の前記通信インターフェース２１および２２は、例えば、アプリケーション・プログラム・インターフェースすなわちＡＰＩ（Ａｐｐｌｉｃａｔｉｏｎ  Ｐｒｏｇｒａｍ  Ｉｎｔｅｒｆａｃｅ）でありうる。
【００５１】
前記サービスプラットフォーム１３、１３´は、第１端末１０と同一の電気通信ネットワーク内または別の電気通信ネットワーク内、例えば、固定電話または携帯電話ネットワーク内など、またはインターネットまたはプライベート通信ネットワークなどのあらゆる通信ネットワーク内に配置される。
【００５２】
前記サービスプラットフォーム１３、１３´は、ＩＤ処理サーバ１１との対話を可能にする少なくとも一つの通信インターフェースと、前記ＩＤ処理サーバ１１から来る少なくとも前記処理されたＩＤパラメータ用の受信モジュールを備える。前記サービスプラットフォーム１３、１３´は、一つまたは複数の通信サービスを管理することができる。
【００５３】
サービスプラットフォーム１３、１３´は、また、前記通信サービス１４、１４´、１４´´、１４´´´の消費後に通話レポート生成するモジュールを備える。前記通話レポートは請求書作成サービスに転送され、該サービスは、例えば、消費に応じて加入者のアカウントから引き落とすか、または、加入者に請求書を送信する。
【００５４】
さらに、ＩＤ処理サーバ１１は、通信インターフェース２１を介して、前記第１端末１０から来る通信サービス１４、１４´、１４´´、１４´´´に対応する、少なくとも一つのパラメータを受信するように設定されている。通信インターフェース２２を介して、サービス１４、１４´、１４´´、１４´´´に対応する前記パラメータはまた、前記通信サービス１４、１４´、１４´´、１４´´´を管理する前記サービスプラットフォーム１３、１３´から来て受信されることもある。
【００５５】
前記規則管理モジュール２０は、前記規則管理モジュール２０にリンクされた少なくとも一つのデータベース１２内に記憶された少なくとも一つの規則を、第１端末１０のユーザの前記ＩＤパラメータをもとに検索し、処理する機能を有する。前記データベース１２は、本発明による前記処理システムに物理的に組み込むことも組み込まないこともできる。
【００５６】
前記規則は、ユーザのＩＤ、またはサービスの利用に関係づけられることができる。例えば、ある規則では、ユーザＡの識別子でサービスＷを利用するためには、転送すべきＩＤはユーザＡの識別子であり、すなわち（サービスＷ、識別子Ａ）＝ＩＤ  Ａのように定義することができる。第２規則では、ユーザＡの識別子でサービスＸを利用するためには、転送すべきＩＤはユーザＢの識別子であり、すなわち（サービスＸ、識別子Ａ）＝ＩＤ  Ｂであるように定義することができる。別の規則は、利用するサービスに関わらず、ユーザＡの識別子を受信すると、転送すべきＩＤはユーザＢの識別子であり、すなわち（識別子Ａ）＝識別子Ｂであることを含むが、これは例えばユーザＢの許可を要求した後のことである。これは、ＰＣＶモード、すなわち“ａ  ＰｅｒＣｅＶｏｉｒ”モードでのサービスの場合であり、関係する第三者の了承を得た後に、定義された該第三者に宛ててサービスの請求書が作成される。
【００５７】
従って、通信サービス１４、１４´、１４´´、１４´´´の通話レポートに含むための、ＩＤ処理サーバ１１による処理後に転送されるユーザのＩＤは、前記通信サービス１４、１４´、１４´´、１４´´´へのアクセス時に受信したＩＤとは異なることがある。このように、ＩＤ管理規則をもとに、同一のユーザを複数のＩＤで管理することができる。より正確には、同一のユーザの識別子に複数の加入者の識別子を結びつけることができる。
【００５８】
前記処理されたＩＤパラメータは、前記第１端末または前記通信サービスとは別個のユーザのＩＤに対応しうる。
【００５９】
実際、通信サービスの消費後に、処理されたパラメータを通話レポートに書き込むためのＩＤ処理によって、消費されたサービスの請求書作成のためのユーザのＩＤを決定することができる。ユーザのＩＤは、前記第１端末または前記通信サービスとは全く別個でありうる。従って、このシステムおよびこの方法によって、ＰＣＶモードでの請求書作成を一般化、すなわち一般化された“ａ  ＰｅｒＣｅＶｏｉｒ”モードが可能となり、また、第１端末のユーザによって事前に定義された、または手動入力された、任意の加入者に対応するＩＤパラメータを書き込むことができる。
【００６０】
ユーザまたは事業者によって記憶される規則の代わりに、パラメータ設定によって、前記ＩＤ処理システムのデータベース１２は、例えば、通話レポートに含まれるユーザのＩＤが電気通信ネットワークによって認識されるものと自動的に同一となるように、少なくとも一つの規則を含むことができる。または、前記規則は、ＩＤが事前に定義されているユーザに対しては許可が体系的および自動的に要求されなくてはならないということをデフォルトとして指定することができる。また、記憶された規則がない場合、ＩＤ処理システムは、前記通信サービス１４、１４´、１４´´、１４´´´のユーザに対して、前記サービスへのアクセス時に、通話レポートに含まれるべきユーザのＩＤに対応する識別子を手動で指定すように自動的に要求することができる。
【００６１】
規則管理モジュール２０は、ユーザ、または前記電気通信ネットワークの事業者、またはＩＤ処理サーバ１１を管理するネットワークの事業者、またはサービスプラットフォーム１３、１３´を管理するネットワークの事業者によって直接設定可能である。設定によると、ＩＤ処理サーバ１１を、少なくとも第１端末１０のユーザの前記ＩＤパラメータを受信するように、前記第１端末１０によってのみ制御することができる。事業者またはユーザによって実行されたパラメータ設定によると、また、通信サービス１４、１４´、１４´´、１４´´´へのアクセス時に少なくとも第１端末１０のユーザの前記ＩＤパラメータを受信するように、自動的に制御することもできる。
【００６２】
さらに、実現したパラメータ設定によると、第１端末１０の通信サービス１４、１４´、１４´´、１４´´´へのアクセスの前に、あらかじめ、前記第１端末１０は、少なくとも一つの規則を前記第１端末１０のユーザのＩＤを管理するための前記データベース１２に記憶することができる。
【００６３】
同様に、第１端末１０の通信サービス１４、１４´、１４´´、１４´´´へのアクセスの間、この第１端末は、事前に規則を記憶していない場合、もしくは既に記憶された規則とは特殊で異なる管理を行うために、または現存する規則を変更するために、前記第１端末１０のユーザのＩＤを管理するためのデータベース１２内に規則を記憶することができる。そのとき、前記規則は、動的に、前記通信サービス１４、１４´、１４´´、１４´´´に対応する、進行中のユーザのＩＤの管理に適用されうる。
【００６４】
現在、ますます複雑になっているマルチメディアサービスでは、消費チケット用に、前記サービスのユーザのＩＤの処理と解釈が必要となっている。
【００６５】
実際、ユーザは、一つまたは複数のサービスへのアクセスとそれらの請求書作成の観点から、相異なる複数のＩＤを所有することができる。例えば、一人のユーザは、「私的ユーザ」プロファイルに対応する第１ＩＤと「職業的ユーザ」プロファイルに対応する第２ＩＤを所有する。ユーザの好み、および可能な機能またはオプションをこれらのＩＤの各々で異なるようにすることができ、それは例えば相異なる料金設定などである。プロファイルによって特定のサービスへのアクセスへの特権を与えることができ、例えば、声による通信は私的な手帳にある人への通信専用であり、電子メールサービスへのアクセスは職業的な使用専用であり、またはマルチメディア・メッセージング・サービスＭＭＳ（マルチメディア・メッセージング・サービス）の使用は例えば量がより多い職業的使用では料金設定の段階が異なり、または、「私的ユーザ」プロファイルと「職業的ユーザ」プロファイルの選択をサービスにアクセスする時間または場所に応じて行うなどである。
【００６６】
別の例は、同一家族のメンバーまたは利益共同体のグループのメンバーが、一連のサービスに加入するというものである。これらのサービスの利用を、個人として、または家族のメンバー、またはグループのメンバーとして行うことができる。この場合、「私的ユーザ」のＩＤについては、サービスの通話レポートは該ユーザのＩＤのパラメータを含み、「家長」または「グループ責任者」のＩＤについては、サービスを利用する家族またはグループのメンバーにかかわらず通話レポートがユニークな集団ＩＤパラメータを含むように定義される。
【００６７】
いわゆる「慎重を要する」サービス、例えば、ポルノの類や成人専用の情報の利用では、ユーザは、前記慎重を要するサービスの消費者のプロファイルと電話加入の名義人のＩＤに対応する自分のプロファイルを切り離すことを望むことができる。第一に、電話加入の名義人の場合、その請求はユーザの住居の電話の請求書に記される。第二に、慎重を要するといわれるサービスの消費用に、ユーザは、プリペイド式の加入者アカウントに対応するＩＤで、前記慎重を要するサービスの通話レポートを準備する規則を選択することができ、請求書はより匿名的となる。
【００６８】
別の場合では、プリペイド式の加入者アカウントのユーザは、そのアカウントのクレジットが尽きても、定義された第三者のＩＤでのサービスの通話レポートが規則によって準備されるのならば、続けてサービスにアクセスすることができる。この場合、請求書は、ＰＣＶ（“ａ  ＰｅｒＣｅＶｏｉｒ”）サービスの場合と同様に、前記規則で記されている、定義されたユーザのアカウントへ向けて転送される。クレジットが尽きたユーザは、前記サービスを実際に利用するが、他のユーザのアカウントから引き落とされることを望む。特に、ＰＣＶサービスは、また、ユーザがショートメッセージＳＭＳを前記ＳＭＳメッセージの宛先の支払で（または全く別の加入者の支払いで）送ることを望む時に利用することができる。
【００６９】
本発明によると、そのとき、サービスの通話レポートがサービスプラットフォーム１３、１３´によって送信され、通話レポートに書き込まれたＩＤは前記サービスの実際のユーザのものではない可能性がある。一般的には、通話レポートは、サービスの考えられる使用の範囲内であらゆるＩＤにリンクすることができる（グループのＩＤ、私的なＩＤ、家長のＩＤ、職業的なＩＤなど）。
【００７０】
このように、同一のユーザを複数のＩＤと複数の請求書用のアカウントで管理することができ、その中にはＰＣＶモードでのサービスの請求書作成があげられる。サービスのユーザのＩＤ管理は、事前に、または事前ではないが記憶された規則、特に、消費されたサービス、コンテキスト、時間またはクレジットなどに応じて動的である。所与のサービスの利用では、前記規則を事前に、または利用中に記憶させることができる。通話レポートに含まれるユーザのＩＤに準じて引き落とされるべきアカウントは、サービスの実際のユーザのアカウントとは限らない。
【００７１】
本発明の理解を助けるために、本発明による端末のユーザのＩＤ処理方法の様々な段階を図２に図示した。
【００７２】
前記のように、ユーザは、前記ユーザのＩＤの管理および処理に関する一つまたは複数の規則をあらかじめ登録することができる。この事前の記憶は任意である。また、通信サービス１４、１４´、１４´´、１４´´´を使用する時に、第１端末１０によって規則を記憶することもできる。従って、動的に、第１端末１０の通信サービス１４、１４´、１４´´、１４´´´へのアクセス中に前記規則を適用できる。ユーザによって記憶された（またはされていない）規則とは別個に、電気通信ネットワークの事業者（またはＩＤ処理サーバ１１あるいはサービスプラットフォーム１３、１３´の他のあらゆる事業者）は、端末のユーザＩＤ管理の少なくとも一つの初期設定規則を記憶させ、それによって、通話レポートに書き込まれたＩＤおよび、従って、前記ユーザがアクセスする通信サービス１４、１４´、１４´´、１４´´´の請求書の作成を最もよく管理することができる。
【００７３】
図２において“Ａ”で示される第１端末１０は、通信サービス１４、１４´、１４´´、１４´´´にアクセスするための電気通信ネットワークに接続されている。
【００７４】
ＩＤ処理サーバ１１は、前記第１端末１０から来る、少なくとも一つの前記第１端末１０のユーザのＩＤパラメータ、および前記通信サービス１４、１４´、１４´´、１４´´´に対応するパラメータを受信する（段階１）。
【００７５】
前記ＩＤパラメータおよびサービスパラメータは、前記第１端末１０から来るか（ネットワークによる認識、または識別子の手動入力）または、例えば、サービスプラットフォーム１３、１３´から来ることがある。
【００７６】
第１端末１０のユーザは、転送されたＩＤパラメータをもとに認識される。規則管理モジュール２０は、前記通信サービス１４、１４´、１４´´、１４´´´へのアクセス時にポーリングされる。該モジュールは、前記ＩＤパラメータおよび前記消費したサービスのパラメータを受信する。
【００７７】
前記規則管理モジュール２０は、該モジュールがリンクされているデータベース１２内で、受信した前記ＩＤパラメータに関する少なくとも一つの規則を検索する（段階２）。前記規則は、ユーザまたは事業者によって記憶されたものである。そうでない場合、規則の記憶は、通信サービス１４、１４´、１４´´、１４´´´へのアクセス時に動的でありうる。
【００７８】
規則管理モジュール２０は、ＩＤパラメータに対応する前記規則を処理し、前記通話レポートに含むべきユーザのＩＤを認識する。ユーザのＩＤの管理は、消費されたサービス、利用時間、私的または職業的プロファイル、慎重を要するコンテンツ（例えば、成人専用のコンテンツ）などに応じておこなうことができる。前述のように、ＩＤ処理サーバ１１による処理後に転送されたユーザのＩＤは、前記通信サービス１４、１４´、１４´´、１４´´´へのアクセス時に受信したものと異なっていても（または、異なっていなくても）よい。
【００７９】
ある規則では、また、前記規則でＩＤが明確にされているユーザに許可を要求するように定義することができる（段階３）。前記規則の処理時に、規則管理モジュール２０はそのとき少なくとも一つの第２端末１０´との接続を確立し、該規則内に含まれる前記ＩＤパラメータを確認する。例えば、図２において“Ｂ”で示される前記第２端末１０´は、ショートメッセージＳＭＳまたは音声呼び出しによってコンタクトすることができる。第２端末１０´のユーザは、第１端末１０が通信サービス１４、１４´、１４´´、１４´´´にアクセスできるように、自分のＩＤの使用を許可しなければならない。
【００８０】
オプションとして、安全性を高めるために、ＩＤ処理システムは、許可を与える第２端末１０´から来る電子署名を受信し、分析するために準備された現存の機器、または許可を与える前記第２端末１０´のユーザのＩＤを収集し、証明することができる他のあらゆるシステムとコンタクトすることができる。
【００８１】
ひとたび規則の処理が実行され、検証が実施されると、ＩＤ処理サーバ１１は、関係するサービスを管理する少なくとも一つのサービスプラットフォーム１３、１３´に向けて、少なくとも、前記の規則に応じて処理された前記ＩＤパラメータを転送する（段階４）。
【００８２】
必要ならば、前記処理されたＩＤパラメータの受信時に、サービスプラットフォーム１３、１３´は、第１端末１０の前記通信サービス１４、１４´、１４´´、１４´´´へのアクセスを許可するために、前記処理されたＩＤパラメータによって転送されたＩＤに対応する加入者の少なくとも一つのアカウントの残高を確認する（段階５）。確認が正の場合、特に、加入者の前記アカウントの残高が十分に入金されているとき、そのとき通信サービス１４、１４´、１４´´、１４´´´を利用することができる。
【００８３】
ＩＤパラメータに対応する加入者のアカウントの残高の確認は、必須でも体系的でもない。支払いが後払いの通信サービス１４、１４´、１４´´、１４´´´へのアクセスの場合には、後払いの支払いは加入者のいかなるアカウントの外で行われるので、加入者のアカウント１５の残高の確認は実施されない。
【００８４】
第１端末１０による前記通信サービス１４、１４´、１４´´、１４´´´へのアクセス後、サービスプラットフォーム１３、１３´は、少なくとも前記ＩＤパラメータと、通信サービス１４、１４´、１４´´、１４´´´に対応する前記パラメータを含む、少なくとも一つの通話レポートを生成し、前記ＩＤパラメータによって識別されたユーザへの前記サービスの請求書の作成を可能にする。
【図面の簡単な説明】
【００８５】
【図１】本発明による端末のユーザのＩＤ処理システムの一般的なアーキテクチャを図示したものである。
【図２】本発明による端末のユーザのＩＤ処理方法の段階を図示したものである。
【符号の説明】
【００８６】
１０  第１端末
１１  ＩＤ処理サーバ
１２  データベース
１３  サービスプラットフォーム
１４  通信サービス
１５  アカウント
２０  規則管理モジュール
２１  第１通信インターフェース
２２  第２通信インターフェース
【図１】
2008507172.tif 000003
【図２】
2008507172.tif 000004
【手続補正書】
【提出日】平成19年3月22日(2007.3.22)
【手続補正１】
【補正対象書類名】特許請求の範囲
【補正対象項目名】全文
【補正方法】変更
【補正の内容】
【特許請求の範囲】
【請求項１】
少なくとも一つの通信サービス（１４、１４´、１４´´、１４´´´）にアクセスするための電気通信ネットワークに接続された第１端末（１０）の少なくとも一人のユーザのＩＤの処理方法において、前記方法が、
−少なくとも一つのＩＤ処理サーバ（１１）によって、少なくとも、一つの前記第１端末（１０）のユーザのＩＤパラメータ、および前記通信サービス（１４、１４´、１４´´、１４´´´）に対応するサービスパラメータを受信し、前記ＩＤ処理サーバ（１１）に組み込まれた少なくとも一つの規則管理モジュール（２０）によって、前記ＩＤパラメータをもとに、前記規則管理モジュール（２０）にリンクされた少なくとも一つのデータベース（１２）内に記憶された少なくとも一つの規則を検索し、
−前記規則を前記規則管理モジュール（２０）によって処理し、
−前記ＩＤ処理サーバ（１１）によって、少なくとも一つのサービスプラットフォーム（１３、１３´）に向けて、少なくとも、前記規則に応じて処理された前記ＩＤパラメータを転送し、前記第１端末（１０）による通信サービス（１４、１４´、１４´´、１４´´´）の消費後に、前記サービスプラットフォーム（１３、１３´）によって、少なくとも前記通信サービス（１４、１４´、１４´´、１４´´´）に対応する前記パラメータ、および前記処理されたＩＤパラメータを含む、少なくとも一つの通話レポートを生成する、
ことからなる段階を備えることを特徴とする方法。
【請求項２】
前記ＩＤパラメータおよびサービスパラメータは、前記第１端末（１０）または前記サービスプラットフォーム（１３、１３´）から別々にまたは組み合わされて来て、前記ＩＤ処理サーバ（１１）によって受信されることを特徴とする、請求項１に記載の処理方法。
【請求項３】
前記第１端末（１０）の前記通信サービス（１４、１４´、１４´´、１４´´´）へのアクセスの前に、前記第１端末（１０）または電気通信ネットワークの事業者は、別々にまたは組み合わせて、少なくとも一つの規則を前記第１端末（１０）のユーザのＩＤを管理するための前記データベース（１２）内に記憶させることを特徴とする、請求項１または２に記載の処理方法。
【請求項４】
前記第１端末（１０）は、少なくとも、前記第１端末（１０）のユーザのＩＤパラメータを受信するように、前記ＩＤ処理サーバ（１１）を制御することを特徴とする、請求項１〜３のいずれか一つに記載の処理方法。
【請求項５】
前記ＩＤ処理サーバ（１１）は、少なくとも、前記第１端末（１０）のユーザの前記ＩＤパラメータを受信するように自動的に制御されることを特徴とする、請求項１〜３のいずれか一つに記載の処理方法。
【請求項６】
前記第１端末（１０）は、前記第１端末（１０）の前記通信サービス（１４、１４´、１４´´、１４´´´）へのアクセス中に適用できる少なくとも一つの規則を、前記端末（１０）のユーザのＩＤを管理するための前記データベース（１２）内に記憶することを特徴とする、請求項１〜５のいずれか一つに記載の処理方法。
【請求項７】
前記規則の処理時、前記規則管理モジュール（２０）は、前記ＩＤパラメータを確認するために、少なくとも一つの第２端末（１０´）との接続を確立することを特徴とする、請求項１〜６のいずれか一つに記載の処理方法。
【請求項８】
前記処理されたＩＤパラメータは、前記第１端末（１０）または前記通信サービス（１４、１４´、１４´´、１４´´´）とは別個のユーザのＩＤに対応することを特徴とする、請求項１〜７のいずれか一つに記載の処理方法。
【請求項９】
前記サービスプラットフォーム（１３、１３´）は、前記第１端末（１０）の前記通信サービス（１４、１４´、１４´´、１４´´´）へのアクセスを許可するために、少なくとも前記処理されたＩＤパラメータによって転送されたＩＤに対応する加入者の少なくとも一つのアカウント（１５）の残高を確認することを特徴とする、請求項１〜８のいずれか一つに記載の処理方法。
【請求項１０】
少なくとも一つの通信サービス（１４、１４´、１４´´、１４´´´）にアクセスするための電気通信ネットワークに接続された第１端末（１０）の少なくとも一人のユーザのＩＤ処理システムにおいて、前記システムが、
−前記第１端末（１０）から来る、少なくとも一つの前記第１端末（１０）のユーザのＩＤパラメータ、および前記通信サービス（１４、１４´、１４´´、１４´´´）に対応するパラメータを受信するように設定された少なくとも一つのＩＤ処理サーバ（１１）、
−前記ＩＤ処理サーバ（１１）に組み込まれた少なくとも一つの規則管理モジュール（２０）であって、前記規則管理モジュール（２０）にリンクされた少なくとも一つのデータベース（１２）内に記憶された少なくとも一つの規則を検索し、処理するように設定された規則管理モジュール（２０）、および、
−前記ＩＤ処理サーバ（１１）から来る、少なくとも前記規則に応じて処理された前記パラメータを受信し、前記第１端末（１０）による前記通信サービス（１４、１４´、１４´´、１４´´´）の消費後、少なくとも前記通信サービス（１４、１４´、１４´´、１４´´´）に対応する前記パラメータ、および処理された前記ＩＤパラメータを含む、少なくとも一つの通話レポートを生成するように設定された、少なくとも一つのサービスプラットフォーム（１３、１３´）を備えることを特徴とする、処理システム。
【請求項１１】
前記第１および第２端末（１０、１０´）は、固定式または携帯式に関係なく、前記固定または携帯電気通信ネットワークに接続されていることを特徴とする、請求項１０に記載のシステム。
【請求項１２】
請求項１０または１１によるシステム内で実現されるのに適したＩＤ処理サーバ（１１）であって、前記サーバ（１１）は少なくとも一つの前記第１端末（１０）のユーザのＩＤパラメータ、および通信サービス（１４、１４´、１４´´、１４´´´）に対応するパラメータを受信し、転送するように設定されており、前記ＩＤ処理サーバ（１１）に組み込まれた少なくとも一つの規則管理モジュール（２０）にリンクされた少なくとも一つのデータベース（１２）内に記憶された少なくとも一つの規則を検索することで、前記規則に応じて前記ＩＤパラメータを処理するのに適していることを特徴とし、前記ＩＤ処理サーバ（１１）は、前記規則管理モジュール（２０）と前記第１および第２端末（１０、１０´）との間の転送用の少なくとも一つの第１通信インターフェース（２１）と、前記規則管理モジュール（２０）と少なくとも一つのサービスプラットフォーム（１３、１３´）との間の転送用の少なくとも一つの第２通信インターフェース（２２）とを備える。
【請求項１３】
請求項１０または１１によるシステム内で実現されるのに適した規則管理モジュール（２０）であって、前記モジュール（２０）は、少なくとも一つのデータベース（１２）内に記憶された少なくとも一つの規則を検索し、前記規則に応じて前記第１端末（１０）のユーザの少なくとも一つのＩＤパラメータを処理するために、前記ＩＤ処理サーバ（１１）に組み込まれることを特徴とする、規則管理モジュール。
【請求項１４】
前記モジュール（２０）は、少なくとも一つの第２端末（１０´）との接続を確立し、前記規則の処理時に前記ＩＤパラメータを確認することを特徴とする、請求項１３に記載のモジュール。
【請求項１５】
請求項１０または１１によるシステム内で実現されるのに適したサービスプラットフォーム（１３、１３´）であって、前記プラットフォーム（１３、１３´）は、前記ＩＤ処理サーバ（１１）から来る、少なくとも一つの通信サービス（１４、１４´、１４´´、１４´´´）にアクセスするための電気通信ネットワークに接続された第１端末（１０）のユーザの少なくとも一つのＩＤパラメータを受信するように設定されており、前記ＩＤパラメータは少なくとも一つの規則に応じて処理され、前記処理されたＩＤパラメータによって転送されたＩＤに対応する加入者の少なくとも一つのアカウント（１５）の残高を確認することで、前記第１端末（１０）の前記通信サービス（１４、１４´、１４´´、１４´´´）へのアクセスを許可し、前記第１端末（１０）による前記通信サービス（１４、１４´、１４´´、１４´´´）へのアクセス後、少なくとも前記通信サービス（１４、１４´、１４´´、１４´´´）に対応する前記パラメータ、および前記処理されたＩＤパラメータを含む、少なくとも一つの通話レポートを生成するように設定されていることを特徴とする、サービスプラットフォーム。
【国際調査報告】
2008507172.tif 000005
2008507172.tif 000006
2008507172.tif 000007
2008507172.tif 000008